(57)【要約】【課題】装飾パネルを裏から照明した場合に、その照明光を装飾パネルの内部を面方向に導光できるようにして、遮光層が形成された領域以外も照明して、光装飾装置及び装飾パネルのデザイン性の向上を図る。【解決手段】光装飾装置１は、表側の面２１ｂ及び裏側の面２１ａを有するとともに、裏側の面２１ａに凹設された凹部２１ｄを有する透光性の基材２１と、基材２１の表側の面２１ｂの一部に形成され、凹部２１ｄを裏側に隠す第一遮光層２２と、基材２１の裏側の面２１ａのうち少なくとも第一遮光層２２によって隠れない領域に形成された第二遮光層２３と、基材２１の裏側に設けられ、凹部２１ｄを照明するバックライト１０と、を備える【選択図】図２
2014035450.tif 000002
【特許請求の範囲】
【請求項１】
表側の面及び裏側の面を有するとともに、前記裏側の面に凹設された凹部を有する透光性の基材と、
前記基材の表側の面の一部に形成され、前記凹部を裏側に隠す第一遮光層と、
前記基材の裏側の面のうち少なくとも前記第一遮光層によって隠れない領域に形成された第二遮光層と、
前記基材の裏側に設けられ、前記凹部を照明するバックライトと、を備える、
ことを特徴とする光装飾装置。
【請求項２】
前記第一遮光層は、前記基材の表側の面を前記第一遮光層が形成された領域と前記第一遮光層が形成されていない領域とに区切る縁を有し、
前記基材を表側又は裏側から見て、前記凹部は、前記縁よりも前記第一遮光層が形成された領域側に形成されている、
ことを特徴とする請求項１に記載の光装飾装置。
【請求項３】
前記基材を表側又は裏側から見て、前記凹部よりも前記第一遮光層が形成されていない領域側において前記第一遮光層が前記第二遮光層に部分的に重なっている、
ことを特徴とする請求項２に記載の光装飾装置。
【請求項４】
前記第一遮光層は、前記基材の表側の面のうち前記凹部の反対側に形成された透光部を有し、
前記透光部の遮光性が前記第一遮光層の前記透光部以外の部位の遮光性よりも低い、
ことを特徴とする請求項１から３の何れか一項に記載の光装飾装置。
【請求項５】
表側の面及び裏側の面を有するとともに、前記裏側の面に凹設された凹部を有する透光性の基材と、
前記基材の表側の面の一部に形成され、前記凹部を裏側に隠す第一遮光層と、
前記基材の裏側の面のうち少なくとも前記第一遮光層によって隠れない領域に形成された第二遮光層と、を備える、
ことを特徴とする装飾パネル。
【発明の詳細な説明】
【技術分野】
【０００１】
本発明は、光装飾装置及び装飾パネルに関する。
【背景技術】
【０００２】
特許文献１には、断熱樹脂層（１２）、薄膜金属層（１１）、表面樹脂層（１３）及び表面印刷層（１４）がこれらの順に下から積層されてなる照明式パネルが開示されている（図１参照）。断熱樹脂層（１２）が光を透過可能であり、薄膜金属層（１１）が金属光沢及び透光性を有し、表面樹脂層（１３）が透明であり、表面印刷層（１４）の大部分が不透明であり、表面印刷層（１４）の一部（照明部５）が透光性を有する。表面印刷層（１４）が表面樹脂層（１３）の表面の一部に形成されており、表面印刷層（１３）の他の一部が表面印刷層（１４）によって被覆されていない。
この照明式パネルを表側から見ると、表面印刷層（１４）が形成されていない領域（金属調装飾部６）では薄膜金属層（１１）が表面樹脂層（１３）の裏側に見え、表面印刷層（１４）が形成されている領域では表面印刷層（１４）が表面樹脂層（１３）の表側に見える。よって、照明式パネルを表側から見ると、照明式パネルは厚みがあるように見え、照明式パネルの立体感を得ることができる。
この照明式パネルの裏側からこの照明式パネルを照明すると、光が断熱樹脂層（１２）、薄膜金属層（１１）及び表面樹脂層（１３）を透過し、表面印刷層（１４）の一部（照明部５）が光って見える。また、表面印刷層（１４）が形成されていない領域（金属調装飾部６）の裏側を遮光することによって、薄膜金属層（１１）の金属光沢が照明により損なわれることを防止する（段落００２５参照）。
【先行技術文献】
【特許文献】
【０００３】
【特許文献１】特開２０１０−２００４７号公報
【発明の概要】
【発明が解決しようとする課題】
【０００４】
ところで、かかる技術分野では、独自性のあるデザインが要求される。そこで、本発明が解決しようとする課題は、独自性のあるデザインがある光装飾装置及び装飾パネルを提供することである。具体的には、照明式パネルといった装飾パネルを裏から照明した場合に、その照明光を装飾パネルの内部を面方向に導光できるようにして、表面印刷層といった遮光層が形成された領域以外も照明して、光装飾装置及び装飾パネルのデザイン性の向上を図ることである。
【課題を解決するための手段】
【０００５】
以上の課題を解決するため、本発明に係る光装飾装置は、表側の面及び裏側の面を有するとともに、前記裏側の面に凹設された凹部を有する透光性の基材と、前記基材の表側の面の一部に形成され、前記凹部を裏側に隠す第一遮光層と、前記基材の裏側の面のうち少なくとも前記第一遮光層によって隠れない領域に形成された第二遮光層と、前記基材の裏側に設けられ、前記凹部を照明するバックライトと、を備えることを特徴とする。
【０００６】
好ましくは、前記第一遮光層は、前記基材の表側の面を前記第一遮光層が形成された領域と前記第一遮光層が形成されていない領域とに区切る縁を有し、前記基材を表側又は裏側から見て、前記凹部は、前記縁よりも前記第一遮光層が形成された領域側に形成されている。
【０００７】
好ましくは、前記基材を表側又は裏側から見て、前記凹部よりも前記第一遮光層が形成されていない領域側において前記第一遮光層が前記第二遮光層に部分的に重なっている。
【０００８】
本発明に係る装飾パネルは、表側の面及び裏側の面を有するとともに、前記裏側の面に凹設された凹部を有する透光性の基材と、前記基材の表側の面の一部に形成され、前記凹部を裏側に隠す第一遮光層と、前記基材の裏側の面のうち少なくとも前記第一遮光層によって隠れない領域に形成された第二遮光層と、を備える。
【発明の効果】
【０００９】
本発明によれば、凹部が基材の裏側の面に凹設されているから、バックライトから発した光は基材の厚みに直交する面方向に近い角度で凹部の内壁面に入射する。そのため、凹部の内壁面に入射する光が基材の内部を面方向へ導光しやすく、その光が第一遮光部の縁を回り込んで基材の表側の面から外部へ出射する。よって、基材の表側から見ると、第一遮光部の縁の先が照明されるように見える。これにより、光装飾装置及び装飾パネルのデザイン性が向上する。
【図面の簡単な説明】
【００１０】
【図１】本発明の実施形態に係る光装飾装置の正面図である。
【図２】II−II断面図である。
【図３】図２の一部の拡大図である。
【発明を実施するための形態】
【００１１】
以下に、本発明を実施するための形態について図面を用いて説明する。但し、以下に述べる実施形態には、本発明を実施するために技術的に好ましい種々の限定が付されているが、本発明の範囲を以下の実施形態及び図示例に限定するものではない。
【００１２】
図１は光装飾装置１の正面図である。図２は図１に図示のII−IIに沿った面を矢印方向へ向かって見て示した断面図である。
【００１３】
この光装飾装置１はバックライト（背面照明器）１０及び装飾パネル２０を備える。
【００１４】
バックライト１０は装飾パネル２０の裏側に配置されている。このバックライト１０は装飾パネル２０の後ろから装飾パネル２０を照明する。
【００１５】
バックライト１０は棒状（線状）の光源である。具体的には、バックライト１０が棒状導光体１１及び光源（例えば、発光ダイオード）１２を有し、棒状導光体１１が柱状（例えば、円柱状、角柱状）に形成され、光源１２が棒状導光体１１の端面に対向している。光源１２が棒状導光体１１の端面に向けて光を発し、棒状導光体１１がその端面で光を取り込んで反対側の端面に向けて導光し、棒状導光体１１が周面から光を出射する。なお、バックライト１０が放電管（例えば、冷陰極放電管、蛍光管）でもよい。また、バックライト１０が、複数の白熱灯又は発光ダイオードを線状に配列したものでもよいし、帯状に形成された有機ＥＬ素子であってもよい。
【００１６】
装飾パネル２０は複数の層を積層したものである。装飾パネル２０は基材２１、第一遮光層２２、第二遮光層２３、第一透光層２４及び第二透光層２５等を有する。
【００１７】
基材２１は板状に形成されている。基材２１は透光性を有し、より具体的には有色透明又は無色透明な板である。例えば、基材２１はガラス基板、樹脂基板、タッチパネルその他の透明板である。基材２１がタッチパネルであれば、光装飾装置１が入力装置となる。基材２１は、機器の筐体の一部又は自動車内装パネル（例えば、コンソールパネル、ライナー）であってもよい。
【００１８】
基材２１の裏側の面２１ａには凹部２１ｄが凹設されている。凹部２１ｄはバックライト１０の長手方向に沿って延在した断面矩形状の溝であり、凹部２１ｄの内壁面が奥面２１ｅ、側壁面（立壁面）２１ｆ及び側壁面（立壁面）２１ｇからなる。凹部２１ｄの奥面２１ｅがバックライト１０の長手方向（図２の紙面に対して垂直な方向）に沿って帯状に延びた面であり、その奥面２１ｅがバックライト１０の発光面（特に、棒状導光体１１の周面）に対向する。凹部２１ｄの側壁面２１ｆが奥面２１ｅの一方の縁（下縁）において奥面２１ｅに対して立った状態に設けられ、その側壁面２１ｆがバックライト１０の長手方向に沿って帯状に延びた面である。また、奥面２１ｅの他方の縁（上縁）においても凹部２１ｄの側壁面２１ｇが奥面２１ｅに対して立った状態に設けられ、その側壁面２１ｇもバックライト１０の長手方向に沿って帯状に延びた面である。なお、凹部２１ｄが断面矩形状の溝ではなく、断面半円状、断面半楕円状又は断面三角形状等の溝であってもよい。また、奥面２１ｅ、側壁面２１ｆ及び側壁面２１ｇが平面ではなく、これらのうち１つ以上の面が曲面（例えば、図２の紙面に垂直な方向に沿った軸の回りのシリンドリカル面）であってもよい。
【００１９】
バックライト１０（特に、棒状導光体１１）が基材２１の裏側の面２１ａに近接するように配置され、特に凹部２１ｄに近接するように配置されている。なお、バックライト１０（特に、棒状導光体１１）の全体又は一部が凹部２１ｄに収納されていてもよいし、図２に示すように凹部２１ｄから裏側に出ていてもよい。
【００２０】
基材２１の表側の面２１ｂ上には第一遮光層２２が形成されている。第一遮光層２２が基材２１の表側の面２１ｂ全体を被覆しているわけではなく、第一遮光層２２によって被覆されていない領域２１ｃが基材２１の表側の面２１ｂにある。第一遮光層２２が凹部２１ｄの反対側に形成され、凹部２１ｄが第一遮光層２２の裏側に隠れている。
【００２１】
図１に示すように正面から見て、第一遮光層の下縁２２ａは、基材２１の表側の面２１ｂを第一遮光層２２が形成された領域（上側の領域）と第一遮光層２２が形成されていない領域（下側の領域）２２ｃとに区切る縁である。凹部２１ｄは第一遮光層２２の下縁２２ａよりも第一遮光層２２が形成された領域側（上側）に形成されている。図１に示すように正面から見て、第一遮光層２２の下縁２２ａが凹部２１ｄの下縁（側壁面２１ｆ）よりも下に位置するか、その下縁２２ａが凹部２１ｄの下縁に揃っている。
【００２２】
図１では、第一遮光層２２によって被覆されていない領域２１ｃが第一遮光層２２の下側にある。それに対して、第一遮光層２２が凹部２１ｄの長手方向に沿って帯状に形成され、第一遮光層２２によって被覆されていない領域２１ｃが第一遮光層２２の下側と上側の両方にあってもよい。
【００２３】
図１及び図２に示すように、第一遮光層２２は、フィルムインサート成形法、フィルムインモールド成形法その他の成形法により基材２１の表側の面２１ｂの一部にラミネートされたフィルム（例えば、印刷が施されたフィルム）であってもよいし、気相成長法（例えば、蒸着法）又はメッキ法によって基材２１の表側の面２１ｂの一部に堆積した層であってもよい。また、基材２１が樹脂からなる場合、基材２１の成形と同時に第一遮光層２２が基材２１の表側の面２１ｂにラミネートされてもよいし、基材２１の成形後に第一遮光層２２がラミネートされてもよい。
【００２４】
第一遮光層２２は遮光性を有する。また、第一遮光層２２が部分的に透光性となっており、複数の透光部２２ｂが第一遮光層２２の一部に形成されており、これら透光部２２ｂが第一遮光層２２の他の部位よりも遮光性が低い。透光部２２ｂは文字、記号、図形、色彩若しくは模様又はこれらの結合である。第一遮光層２２が透明なフィルムに印刷を施すことによって遮光性を付与されたものである場合、透光部２２ｂは第一遮光層２２の他の部位と比較して印刷が薄かったり印刷が無かったりする。
【００２５】
これら透光部２２ｂが凹部２１ｄの反対側に形成され、これら透光部２２ｂの裏側に凹部２１ｄがある。なお、バックライト１０の数が複数であり、１つの透光部２２ｂにつき１つのバックライト１０が対向してもよい。
【００２６】
第一遮光層２２は第一透光層２４によって被覆されている。第一透光層２４は基材２１の表側の面２１ｂのうち第一遮光層２２によって被覆されていない領域２１ｃも被覆する。第一透光層２４は透光性を有し、より具体的には有色透明又は無色透明な層である。なお、第一透光層２４を省略してもよい。
【００２７】
基材２１の裏側の面２１ａ上には第二遮光層２３が形成され、第二遮光層２３上には第二透光層２５が形成されている。第二遮光層２３及び第二透光層２５のうち凹部２１ｄに重なる領域には開口２６が形成され、凹部２１ｄが開口２６を通じて露出している。第二遮光層２３は、基材２１の裏側の面２１ａの全体（但し、凹部２１ｄを除く。）に形成されていてもよいし、裏側の面２１ａの一部に形成されていてもよい。つまり、第二遮光層２３は、基材２１の裏側の面２１ａのうち少なくとも第一遮光層２２によって隠れない領域（領域２１ｃに対向する領域）を被覆する。
【００２８】
基材２１の正面又は背面から見て、凹部２１ｄよりも下側において第一遮光層２２が第二遮光層２３に部分的に重なり、第一遮光層２２の下縁２２ａが第二遮光層２３のうち凹部２１ｄの下方の領域２３ａの上縁より下に位置する。或いは、基材２１の正面又は背面から見て、第一遮光層２２の下縁２２ａが第二遮光層２３のうち凹部２１ｄの下方の領域２３ａの上縁に揃っている。
【００２９】
第二遮光層２３は、フィルムインサート成形法、フィルムインモールド成形法その他の成形法により基材２１の裏側の面２１ａにラミネートされたフィルムであってもよいし、気相成長法又はメッキ法によって基材２１の裏側の面２１ａに堆積した層であってもよい。また、第二遮光層２３がラミネートされたフィルムである場合、基材２１の成形と同時に第二遮光層２３がラミネートされてもよいし、基材２１の成形後に第二遮光層２３がラミネートされてもよい。
【００３０】
第二遮光層２３は遮光性を有する。第二透光層２５は透光性を有し、より具体的には有色透明又は無色透明な層である。なお、第二透光層２５を省略してもよい。
【００３１】
装飾パネル２０を正面から見ると、第一遮光層２２を視認することができ、第一遮光層２２が被覆されていない領域２１ｃでは第二遮光層２３（主に下の領域２３ａ）を視認することができる。第一遮光層２２が基材２１の表側の面２１ｂに形成され、第二遮光層２３が基材２１の裏側の面２１ａに形成されているから、装飾パネル２０を正面から見ると装飾パネル２０は立体感（厚み）があるように見える。
【００３２】
バックライト１０が点灯すると、基材２１の裏側及び凹部２１ｄがバックライト１０によって照明される。バックライト１０から発した光の一部が第二遮光層２３によって遮光され、バックライト１０から発した光の他の一部が凹部２１ｄへ進行する。そして、光が凹部２１ｄを通過して基材２１に入射し、その入射光の一部が第一遮光層２２によって遮光され（図３に示す光線Ａ，Ｂ参照）、その入射光の他の一部が基材２１、透光部２２ｂ及び第一透光層２４を透過する（図３に示す光線Ｃ参照）。そのため、装飾パネル２０を正面から見ると、透光部２２ｂが光って見える。
【００３３】
また、バックライト１０から発した光の一部は、面方向（基材２１の厚みに直交する方向）に近い角度で凹部２１ｄの側壁面２１ｆに入射する。そのため、側壁面２１ｆに入射する光が基材２１の内部を下方に導光する。特に、側壁面２１ｆに入射する光が側壁面２１ｆによって屈折し、その光の進行方向がより下向きになる（図３に示す光線Ｄ参照）。図３に示す光線Ｄの光は基材２１及び第一透光層２４を透過する。そのため、装飾パネル２０を正面から見て、第一遮光層２２の下縁２２ａの下方を照射・照明するように見える。特に、側壁面２１ｆによって光が下方へ屈折するから、第一遮光層２２の下縁２２ａの下に回り込む光の光束・光量が増加するので、第一遮光層２２の下縁２２ａの下方がより明るく照射・照明される。
【００３４】
また、図３に示す光線Ｄの光が漏れたり拡散したりすると、第二遮光層２３の表側が照明される。そのため、装飾パネル２０を正面から見て第二遮光層２３の色彩や模様等を視認することができる。これは、暗闇の中で有効である。
【００３５】
凹部２１ｄが第一遮光層２２の下縁２２ａよりも上側にあるから、凹部２１ｄの奥面２１ｅに入射した光の殆どが第一遮光層２２（但し、透光部２２ｂを除く。）によって遮光される。そのため、基材２１の表側の面２１ｂの垂直方向に近い光が基材２１を透過することがない。よって、第一遮光層２２の下縁２２ａの下方を照射・照明する光が相対的に強調される。
【００３６】
凹部２１ｄよりも下側において、第一遮光層２２が第二遮光層２３にオーバーラップしているか、第一遮光層２２の下縁２２ａが第二遮光層２３の下部の領域２３ａの上縁に揃っている。そのため、基材２１の表側の面２１ｂの垂直方向に近い光が基材２１を透過することない。よって、第一遮光層２２の下縁２２ａの下方を照射・照明する光が相対的に強調される。
【００３７】
本発明を適用可能な実施形態は、上述した実施形態に限定されることなく、本発明の趣旨を逸脱しない範囲で適宜変更可能である。
【符号の説明】
【００３８】
１  光装飾装置
１０  バックライト
２０  装飾パネル
２１  基材
２１ａ  基材の裏側の面
２１ｂ  基材の表側の面
２１ｄ  凹部
２１ｃ  第一遮光層が形成されていない領域
２２  第一遮光層
２２ａ  第一遮光層の下縁（縁）
２３  第二遮光層
【図１】
2014035450.tif 000003
【図２】
2014035450.tif 000004
【図３】
2014035450.tif 000005